(57)【要約】【課題】コアのランプ取付面からの突出高さを低くできる無電極放電ランプ用の取付具及び照明器具を提供することを目的とする。【解決手段】取付具１は、器具本体当接部２４を有する取付具本体２と、挟持片３とを備える。挟持片３の一面には、コア１０３の外周の最短部１０３ａに当接するコア第１当接部３２と、コア１０３の外周の他の部分に当接する２つのコア第２当接部３３とを備え、挟持片３と取付具本体２とでコア１０３を挟持した状態で、その一面における２つのコア第２当接部３３の間の部分は、前記最短部を通る接線Ｐ上に配置され、一面におけるコア第２当接部３３から端部までの部分は接線Ｐよりもコア１０３側に配置される。又、取付具本体２の器具本体当接部２４は、接線Ｐよりも挟持片３の厚さ分だけ、照明器具本体１００のランプ取付面１００ａ側に配置されている。【選択図】図２
2009032486.tif 000002
【特許請求の範囲】
【請求項１】
無電極放電ランプに設けられたリング状のコアの外周を受容して照明器具本体に設けられたランプ取付面に固定される取付具本体と、この取付具本体に受容されるコアと前記ランプ取付面との間に配置され前記コアの外周を前記取付具本体とで挟持する弾性を有する細長板状の挟持片とによって、無電極放電ランプを照明器具本体に取り付ける無電極放電ランプ用の取付具であって、
前記挟持片は、前記コアを取付具本体とで挟持するに際して、その一面が、前記コアの外周における前記ランプ取付面との距離が最短となる位置に配置される最短部に当接するとともに、前記最短部を通る接線よりもコア側又は接線とほぼ同じ位置に配置されるように構成されていることを特徴とする無電極放電ランプ用の取付具。
【請求項２】
前記取付具本体は、略Ｕ字状のものから構成され、取付具本体の一端側には、コアの外周を受容するコア受容部が備えられ、他端側には、前記ランプ取付面に固定される固定部が備えられ、
前記固定部は、前記ランプ取付面に当接する器具本体当接部を備え、
前記器具本体当接部は、前記コア受容部に受容されたコアを前記挟持片とで挟持した状態で前記ランプ取付面に当接した際に、前記挟持片のほぼ厚さ分だけ前記接線よりも前記ランプ取付面側に突出するように構成されていることを特徴とする請求項１記載の無電極放電ランプ用の取付具。
【請求項３】
前記挟持片の一面には、前記コアの最短部に当接するコア第１当接部が備えられているとともに、その第１当接部を挟んだ少なくとも２箇所に、夫々、前記コアの外周に当接するコア第２当接部が備えられていることを特徴とする請求項１又は２記載の無電極放電ランプ用の取付具。
【請求項４】
前記挟持片の一面には、前記コアの最短部に当接するコア第１当接部が備えられているとともに、その第１当接部から長手方向に所定の長さ範囲に渡って、前記コアの外周に面接触する面当接部が備えられていることを特徴とする請求項１〜３のいずれか一項に記載の無電極放電ランプ用の取付具。
【請求項５】
照明器具本体と、リング状のコアを有する無電極放電ランプと、請求項１〜４のいずれか一項に記載の無電極放電ランプ用の取付具とを備え、
前記照明器具本体には、無電極放電ランプを取り付けるランプ取付面が設けられ、
前記無電極放電ランプは、前記ランプ取付面に、前記無電極放電ランプ用の取付具によって取り付けられていることを特徴とする照明器具。
【発明の詳細な説明】
【技術分野】
【０００１】
本発明は、バルブに封入された放電ガスを電磁誘導により励起発光させる蛍光ランプや殺菌ランプなどの無電極放電ランプを照明器具本体に取り付ける無電極放電ランプ用の取付具及び照明器具に関するものである。
【背景技術】
【０００２】
従来から、リング状のコアを有する無電極放電ランプを照明器具本体に取付ける無電極放電ランプ用の取付具として、例えば図９に示すようなものが知られている。この無電極放電ランプ用の取付具ａは、略Ｕ字状の取付具本体ｂと、この取付具本体ｂに受容されたコア１０３と前記照明器具本体１００に設けられたランプ取付面１００ａとの間に配置される弾性を有する細長板状の挟持片ｃとを備える。そして、前記挟持片ｃにコア１０３側に突設させた凸状当接部ｄを、前記受容されたコア１０３の外周における前記ランプ取付面１００ｂからの距離が最短となる位置に配置される最短部１０３ａに当接させた状態で、その両端部を前記取付具本体ｂに係止する。その状態で、前記取付具本体ｂに設けた固定部ｂ１をランプ取付面１００ａに固定する。これにより、取付具本体ｂと挟持片ｃとによってコア１０３を挟持できるとともに、その挟持した状態で無電極放電ランプを、照明器具本体１００に取付けることができる（特許文献１、図２及び図３参照）。
【特許文献１】特開２００３−１４１９９０号公報
【発明の開示】
【発明が解決しようとする課題】
【０００３】
しかし、挟持片ｃの凸状当接部ｄを、取付具本体ｂに受容されたコア１０３の外周における最短部１０３ａに当接させているため、挟持片ｃのコア１０３側の内面が前記最短部１０３ａを通る接線Ｐよりも、挟持片ｃから凸状当接部ｄの突出した突出分Ｈ２だけ、ランプ取付面１００ｂ側に配置された状態になっている。そのため、コア１０３は、ランプ取付面１００ｂから挟持片ｃの上記突出分Ｈ２及び厚さ、更には取付具本体ｂの固定部ｂ１の厚さ分だけ突出しており、無電極放電ランプ用の取付具と無電極放電ランプとで構成されるランプ装置全体におけるランプ取付面１００ｂから突出高さＨ１が高いものになっている。その結果、照明器具全体の薄型化を図り難いものになっているという問題点がある。
【０００４】
ここで、コア１０３の径を小さくしてコア１０３のランプ取付面１００ｂからの突出量を少なくすれば、上記ランプ装置全体の突出高さＨ１を低くすることができる。しかし、一定の放電路長に対して放電を点灯・維持するためには一定の大きさのコア１０３が必要であり、径を小さくすれば長さを長くする等しなければならず、コア１０３を長くするとコア１０３に挿通されたバルブを覆う面積が大きくなり、バルブからの発光が少なくなって発光効率が低下する。そのため、コア１０３の径を小さくし難い。
【０００５】
又、このものにおいては、挟持片ｃが長手方向（図の上下方向）に位置ずれを起こし易く、位置ずれを起こすと、取付具本体ｂと挟持片ｃとでコア１０３を挟持し難くなってしまう。
【０００６】
本発明は、コアのランプ取付面からの突出量を極力少なくしてランプ取付面からのランプ装置全体の突出高さを低くできる無電極放電ランプ用の取付具及び照明器具を提供することを目的とする。
【０００７】
又、本発明は、コアを確実に挟持しておくことができる無電極放電ランプ用の取付具及び照明器具を提供することを目的とする。
【０００８】
更に、本発明は、コアの発熱の放熱性の良好な無電極放電ランプ用の取付具及び照明器具を提供することを目的とする。
【課題を解決するための手段】
【０００９】
前記課題を解決するために、本発明の請求項１は、無電極放電ランプに設けられたリング状のコアの外周を受容して照明器具本体に設けられたランプ取付面に固定される取付具本体と、この取付具本体に受容されるコアと前記ランプ取付面との間に配置され前記コアの外周を前記取付具本体とで挟持する弾性を有する細長板状の挟持片とによって、無電極放電ランプを照明器具本体に取り付ける無電極放電ランプ用の取付具であって、前記挟持片は、前記コアを取付具本体とで挟持するに際して、その一面が、前記コアの外周における前記ランプ取付面との距離が最短となる位置に配置される最短部に当接するとともに、前記最短部を通る接線よりもコア側又は接線とほぼ同じ位置に配置されるように構成されていることを特徴とする無電極放電ランプ用の取付具を提供する。
【００１０】
請求項２記載のように、取付具本体は、略Ｕ字状のものから構成され、取付具本体の一端側には、コアの外周を受容するコア受容部が備えられ、他端側には、前記ランプ取付面に固定される固定部が備えられ、前記固定部は、前記コア受容部に受容したコアを前記挟持片とで挟持した状態で前記ランプ取付面に固定される際に、前記挟持片のほぼ厚さ分だけ前記接線よりも前記ランプ取付面側に突出するように構成されていることが好ましい。
【００１１】
請求項３記載のように、挟持片の一面には、前記コアの最短部に当接するコア第１当接部が備えられているとともに、その第１当接部を挟んだ少なくとも２箇所に、夫々、前記コアの外周に当接するコア第２当接部が備えられていることが好ましい。
【００１２】
請求項４記載のように、挟持片の一面には、前記コアの最短部に当接するコア第１当接部が備えられているとともに、その第１当接部から長手方向に所定の長さ範囲に渡って、前記コアの外周に面接触する面当接部が備えられていることが好ましい。
【００１３】
又、本発明の請求項５は、照明器具本体と、リング状のコアを有する無電極放電ランプと、請求項１〜４のいずれか一項に記載の無電極放電ランプ用の取付具とを備え、前記照明器具本体には、無電極放電ランプを取り付けるランプ取付面が設けられ、前記無電極放電ランプは、前記ランプ取付面に、前記無電極放電ランプ用の取付具によって取り付けられていることを特徴とする照明器具を提供する。
【発明の効果】
【００１４】
請求項１によれば、挟持片は、その一面が、コアの外周における最短部に当接するとともに、最短部を通る接線よりもコア側又はその接線上に配置されるように構成されているため、照明器具本体のランプ取付面に取付けた際には、コアの最短部を、照明器具本体のランプ取付面から挟持片のほぼ厚さ分だけ隔てた位置に配置することが可能となる。これにより、無電極放電ランプ用の取付具と無電極放電ランプとで構成されるランプ装置におけるランプ取付面からの突出高さを、従来のものよりも低くして無電極放電ランプを照明器具本体に取り付けることができる。
【００１５】
請求項２によれば、取付具本体における固定部の器具本体当接部を、挟持片のほぼ厚さ分だけ前記接線よりもランプ取付面側に突出するように構成しているため、その器具本体当接部を照明器具本体のランプ取付面に当接させれば、コアの最短部を、照明器具本体のランプ取付面から挟持片のほぼ厚さ分だけ隔てた位置に配置でき、コアのランプ取付面からの突出高さを挟持片のほぼ厚さ分にできる。従って、単に、固定部の器具本体当接部を、ランプ取付面に当接させその状態で固定すればよく、容易に、コアのランプ取付面からの突出高さを従来のものよりも低くした状態にして無電極放電ランプを照明器具本体に取り付けることができる。
【００１６】
請求項３によれば、挟持片の第１当接部及び２つの第２当接部と取付具本体とによって、確実にコアの外周を挟持できる。又、第２当接部を、例えば挟持片の第１当接部の両側部を折り曲げ成形等することにより形成でき、第２当接部を容易に短時間で形成できる。
【００１７】
請求項４によれば、挟持片の面当接部と取付具本体とによって、確実にコアの外周を挟持できる。又、面当接部によって両者の接触面積を大きくでき、例えば挟持片を熱伝導可能な金属から構成した場合には、挟持片に、コアから発せられた熱を挟持片に伝導させて逃がすことができ、コアの放熱性を向上させることができる。
【００１８】
請求項５によれば、照明器具本体のランプ取付面に無電極放電ランプを、上記無電極放電ランプ用の取付具によって取付けるため、照明器具本体のランプ取付面からのコアの突出量を少なくでき、コンパクトな照明器具を提供できる。
【発明を実施するための最良の形態】
【００１９】
以下、本発明を実施するための最良の形態について、図面を参照しながら詳細に説明する。
【００２０】
図１は、本発明の第１実施形態の無電極放電ランプ用の取付具を有するランプ装置の概略図、図２は、図１のＩＩ−ＩＩ線断面図である。
【００２１】
本発明の第１実施形態の無電極放電ランプ用の取付具１を有するランプ装置１１０は、無電極放電ランプを備えている。この無電極放電ランプは、図１及び図２に示すように、バルブ１０２と、コア１０３と、誘導コイル１０４と、高周波電源１０５とを備えている。
【００２２】
バルブ１０２は、ガラス等の透光性材料からなる管状のものから構成されている。この実施形態のバルブ１０２は、上下に平行に並べられた２つの同一形状からなる第１直管部１２１及び第２直管部１２２と、それらの第１直管部１２１と第２直管部１２２との一端同士を連結したＵ字状の第１湾曲管部１２３及び他端同士を連結したＵ字状の第２湾曲管部１２４とを備えており、これらによって、全体が、閉じたループである閉ループ状（トカマク状）の形状のものとされている。尚、前記第１湾曲管部１２３には、最冷部１２５が備えられている。
【００２３】
又、バルブ１０２の内面には、図示しないが、蛍光体が塗布されている。また、このバルブ１０２の内部には、不活性ガス、金属蒸気等の放電ガスが封入されている。不活性ガスとしては、例えばネオン、アルゴン、クリプトン、キセノンが挙げられる。また、金属蒸気としては、例えば水銀、ナトリウム、カドミウム、亜鉛等を挙げることができる。
【００２４】
コア１０３は、同一構成を採る２つから構成されている。これらのコア１０３は、フェライト材（ＭｎＺｎ）から構成されている。又、これらのコア１０３は、バルブ１０２の第１直管部１２１、第２直管部１２２の夫々の径よりも径大な孔１３３を有するリング状のものからなる。
【００２５】
そして、このように構成された一方のコア１０３は、孔１３３にバルブ１０２の第１直管部１２１が挿通されるようにして、バルブ１０２における第１直管部１２１の左端側に配置されている。他方のコア１０３は、孔に第２直管部１２２が挿通されるようにして、第２直管部１２２の左端側に配置されている。
【００２６】
誘導コイル１０４は、２つのコア１０３の夫々の一部に、巻回されている（図２では、一方のコア１０３に巻回した状態のみ表している）。尚、誘導コイル１０４の巻き数および巻き方向は、バルブ１０２内に放電が発生し維持し得るように設定されている。
【００２７】
高周波電源１０５は、誘導コイル１０４に高周波電力を供給するためのもので、誘導コイル１０４の夫々に接続されている。尚、高周波電源１０５の出力等についても、バルブ１０２内に放電が発生し維持し得るように設定される。
【００２８】
以上のように構成された無電極放電ランプは、高周波電源１０５の動作により誘導コイル１０４に電圧が印加されると、その電圧により誘導コイル１０４の周りに電磁場が発生し磁界が形成される。また、その磁界はバルブ１０２内に閉ループの電界を生成する。そして、この電界は、バルブ１０２内に放電を生成して放電電流を流し、これにより、バルブ１０２が点灯する。
【００２９】
次に、本発明の第１実施形態の無電極放電ランプ用の取付具１について、図１及び図２に基づいて説明する。第１実施形態の無電極放電ランプ用の取付具１は、同一構成を採る一対のものから構成されている。取付具１は、夫々、取付具本体２と、挟持片３とを備えている。
【００３０】
各取付具本体２は、金属製のＵ字状のものから構成されている。取付具本体２の前方側（図２の左側）における内面側に、コア１０３を受容するコア受容部２１が備えられている。このコア受容部２１は、コア１０３の外周形状とほぼ同形状の半円弧状に形成され、コア１０３の外周のほぼ半周部分に沿うように構成されている。
【００３１】
又、取付具本体２の後方側（図２の右側）における上下の両側には、夫々、脚部２２が備えられている。又、各脚部２２は、その後端に、後述する照明器具本体１００に設けられたランプ取付面１００ａに固定する固定部２３を備えている。
【００３２】
この固定部２３の後面は、照明器具本体１００のランプ取付面１００ａに当接する器具本体当接部２４を構成しており、この器具本体当接部２４がランプ取付面１００ａに当接した状態で、ボルト等の固定手段を介して固定部２３が照明器具本体１００のランプ取付面１００ａに固定される。
【００３３】
又、各脚部２２における固定部２３の前方側には、挟持片３を係脱自在に係止する係止部としての係止用孔２５が設けられている。
【００３４】
挟持片３は、所定厚さの弾性を有する金属製の長細板状のものから構成されている。この挟持片３は、その長手方向のほぼ上下中央部に、後方側に突出するコの字状の受容凹部３４を備えているとともに、受容凹部３４の上下両側に、受容凹部３４を支持した支持片３５を備えている。
【００３５】
受容凹部３４は、両支持片３５から折り曲げられて後方側に突出されており、その前面におけるほぼ上下中央部にコア第１当接部３２が備えられている。このコア第１当接部３２は、取付具本体２のコア受容部２１に受容されたコア１０３の外周における最短部１０３ａに当接する部分である。このコア１０３の最短部１０３ａは、無電極放電ランプを照明器具本体１００のランプ取付面１００ａに取付けるに際して、照明器具本体１００からの距離Ｌが最短となるコア１０３の外周部分である。
【００３６】
また、受容凹部３４の上下両端側には、夫々、コア第２当接部３３が備えられている。これらのコア第２当接部３３は、上記コア第１当接部３２がコア１０３の最短部１０３ａに当接するとほぼ同時に、コア１０３の外周における最短部１０３ａから所定長さだけ周方向に隔てた部分に当接するように設定されている。
【００３７】
この実施形態では、これらのコア第２当接部３３は、コア第１当接部３２を基準に上下対称になるように形成されている。尚、これらの２つのコア第２当接部３３は、コア第１当接部３２からの長さが同じ位置に形成するものに限らず、コア第１当接部３２からの長さが異なる位置に形成しても良く、適宜変更できる。
【００３８】
挟持片３の支持片３５は、夫々、端部に、上記係止用孔２５に入り込んで係止される係止片３１を備えている。
【００３９】
このように構成された取付具１によって、無電極放電ランプを照明器具本体１００に取付けるには、まず、無電極放電ランプのコア１０３の外周を、取付具本体２のコア受容部２１に押し入れるようにして受容させる。
【００４０】
その状態から、挟持片３の受容凹部３４に、上記コア１０３の外周を受容させる。これにより、上記コア第１当接部３２がコア１０３の外周に当接するとともに、上記コア第２当接部３２がコア１０３の外周に当接する。
【００４１】
そして、挟持片３の両端をコア１０３側に押圧し挟持片３を撓ませるようにして両端側の係止片３１を、夫々、係止用孔２５に入れる。
【００４２】
これにより、挟持片３に弾性力が働き、挟持片３における各係止片３１が取付具本体２の係止用孔２５に係止される。又、この挟持片３の弾性力により、コア１０３の最短部１０３ａに当接したコア第１当接部３２及びコア１０３の最短部１０３ａから周方向に所定の距離を隔てた部分に当接したコア第２当接部３３が、夫々、それらの当接した部分を取付具本体２のコア受容部２１の方向に押圧し、これにより、取付具本体２と挟持片３とでコア１０３の外周を挟持する。
【００４３】
又、この挟持状態で、挟持片３の前面（一面）における受容凹部３４のコア第２当接部３３間の部分は、コア１０３の最短部１０３ａを通る接線Ｐ上に配置されている。また、挟持片３の前面（一面）におけるその他の部分は、上記接線Ｐよりもコア１０３側の内側に配置されている。
【００４４】
一方、取付具本体２における固定部２３の器具本体当接部２４は、上記接線Ｐよりも、挟持片３のほぼ厚さ分だけコア１０３と反対側に突出した状態になっている。従って、固定部２３の器具本体当接部２４を照明器具本体１００のランプ取付面１００ａに当接させると、固定部２３の器具本体当接部２４は、上記接線Ｐよりも、挟持片３のほぼ厚さ分だけランプ取付面１００ａ側に突出した状態になる。
【００４５】
そして、この状態で、ボルト等の固定手段によって、固定部２３をランプ取付面１００ａに固定する。これにより、取付具１によって、無電極放電ランプの照明器具本体１００に取付けることができる。
【００４６】
この取付けた状態で、コア１０３は、挟持片３のほぼ厚さ分だけ、照明器具本体１００のランプ取付面１００ａから突出して状態になっており、照明器具本体１００のランプ取付面１００ａからのランプ装置１１０全体の突出量が極力抑えられたものになっている。
【００４７】
尚、上記第１実施形態では、取付具本体２及び挟持片３は、金属から構成されているが、例えば合成樹脂から構成しても良く、適宜変更できる。
【００４８】
又、上記第１実施形態では、コア第２当接部３３を、２つから構成しているが、コア第２当接部３３を、３つ以上、設けるようにしても良く、適宜変更できる。
【００４９】
次に、本発明の第２実施形態の無電極放電ランプ用の取付具２００について、図３に基づいて説明する。先の第１実施形態では、１つの取付具本体２と１つの挟持片３とで１つのコア１０３を挟持するように構成されていたのに対し、この第２実施形態の無電極放電ランプ用の取付具２００は、１つの取付具本体２０２と１つの挟持片２０３とで２つのコア１０３を同時に挟持するように構成されている。
【００５０】
詳しくは、この第２実施形態における取付具本体２０２は、内面側における上部側と下部側との２箇所に夫々、コア受容部２２１を備えている。
【００５１】
上部側のコア受容部２２１は、バルブ１０２の第１直管部１２１に挿通されたコア１０３を受容する。下部側のコア受容部２２１は、バルブ１０２の第２直管部１２２に挿通されたコア１０３を受容するようになっている。
【００５２】
挟持片２０３は、コア第１当接部２３２及びコア第２当接部２３３を有するコの字状の２つの受容凹部２３４と、これらを支持した支持片２３５と、受容凹部２３４同士を接続した接続片２３６とを備えている。
【００５３】
受容凹部２３４は、上部側と、下部側とに設けられており、上部側の受容凹部２３４は、上記上部側のコア受容部２２１に受容されたコア１０３の外周の最短部１０３ａにコア第１当接部２３２が当接するとともに、そのコア１０３の外周における最短部１０３ａから周方向に所定距離だけ隔てた部分にコア第２当接部２３３が当接する。
【００５４】
一方、下部側の受容凹部２３４は、上記下部側のコア受容部２２１に受容されたコア１０３の外周の最短部１０３ａにコア第１当接部２３２が当接するとともに、そのコア１０３の外周における最短部１０３ａから周方向に所定距離だけ隔てた部分にコア第２当接部２３３が当接する。
【００５５】
又、取付具本体２０２と挟持片２０３とでコア１０３を挟持した状態で、挟持片２０３の前面（一面）における受容凹部２３４のコア第２当接部２３３同士間の部分は、コア１０３の最短部１０３ａを通る接線Ｐ上に配置されている。また、挟持片２０３の前面（一面）における他の部分は、上記接線Ｐよりもコア１０３側の内側に配置されている。
【００５６】
一方、取付具本体２０２の器具本体当接部２２４は、上記接線Ｐよりも、挟持片２０３のほぼ厚さ分だけコア１０３と反対側の外側に突出した状態になっており、その器具本体当接部２２４を照明器具本体１００のランプ取付面１００ａに当接させると、固定部２２３の器具本体当接部２２４は、上記接線Ｐよりも、挟持片２０３のほぼ厚さ分だけランプ取付面１００ａ側に突出した状態になる。
【００５７】
そして、この状態から、ボルト等の固定手段によって固定部２２３を照明器具本体１００のランプ取付面１００ａに固定することにより、無電極放電ランプの照明器具本体１００に取付けることができる。その他は、先の第１実施形態と同構成を採っている。
【００５８】
尚、この第２実施形態においては、取付具本体２０２および挟持片２０３を、特に、金属から構成しておくのが好ましく、金属から構成しておくことにより、コア１０３の熱を伝導させて取付具本体２０２および挟持片２０３から逃がすことができ、コア１０３の放熱性を向上させることができる。ただし、この第２実施形態においても、取付具本体２０２と挟持片２０３との一方又は両方を、合成樹脂等の金属以外のものから構成することもでき、適宜変更できる。
【００５９】
次に、本発明の第３実施形態の無電極放電ランプ用の取付具３００について、図４に基づいて説明する。第３実施形態の無電極放電ランプ用の取付具３００における挟持片３０３の受容凹部３３４は、コア１０３の外周に面接触しうる面当接部３３６を備えている。
【００６０】
詳しくは、第３実施形態における挟持片３０３の受容凹部３３４は、湾曲状に形成されており、コア第１当接部３３２及びコア第２当接部３３３を備えているとともに、面当接部３３６を備えている。
【００６１】
コア第２当接部３３３は、コア第１当接部３３２の上下両側に、コア第１当接部３３２から長手方向に所定の長さ範囲に渡って、夫々、コア１０３の外周に当接し得るように構成されている。
【００６２】
この実施形態では、面当接部３３６は、挟持片３０３における上部側のコア第２当接部３３３とコア第１当接部３３２との間の部分、及びコア第１当接部３３２と下部側のコア第２当接部３３３との間の部分に連続して設けられている。
【００６３】
各面当接部３３６は、コア１０３の外周形状と同じ形状の円弧に形成されることにより、コア１０３の外周における上部側のコア第２当接部３３３と下部側のコア第２当接部３３３とが夫々当接する間の部分全体に面接触しうるように構成されている。
【００６４】
そして、取付具本体３０２と挟持片３０３とでコア１０３を挟持した状態で、挟持片３０３の前面（一面）におけるコア第１当接部３３２だけが、コア１０３の最短部１０３ａを通る接線Ｐ上に配置され、その他の部分は、上記接線Ｐよりもコア１０３側の内側に配置されている。
【００６５】
一方、取付具本体３０２における固定部３２３の器具本体当接部３２４は、上記接線Ｐよりも、挟持片３０３のほぼ厚さ分だけコア１０３と反対側に突出した状態になっており、固定部３２３の器具本体当接部３２４を照明器具本体１００のランプ取付面１００ａに当接すると、固定部３２３の器具本体当接部３２４は、上記接線Ｐよりも、挟持片３０３のほぼ厚さ分だけランプ取付面１００ａ側に突出した状態になる。
【００６６】
そして、この状態から、ボルト等の固定手段によって固定部３２３を照明器具本体１００のランプ取付面１００ａに固定することにより、無電極放電ランプの照明器具本体１００に取付けることができる。その他は、先の第１実施形態と同構成を採っている。
【００６７】
次に、本発明の第４実施形態の無電極放電ランプ用の取付具４００について、図５に基づいて説明する。第４実施形態の無電極放電ランプ用の取付具４００における挟持片４０３は、先の実施形態のようなコア受容部は設けられておらず、コア第１当接部４３２とコア第１当接部４３２を上下両側から支持した支持片４３５とから構成されている。
【００６８】
この第４実施形態における挟持片４０３は、全体が上下方向に真っ直ぐに延ばされた真直状の長細板状のものから構成されており、その前面（図５の左側の面）における上下中央にコア第１当接部４３２が設けられている。
【００６９】
このように構成された第４実施形態の無電極放電ランプ用の取付具４００は、取付具本体４０２のコア受容部４２１に受容したコア１０３を挟持片４０３とで挟持した状態で、挟持片４０３の前面（一面）の全体が、コア１０３の最短部１０３ａを通る接線Ｐ上に配置されている。
【００７０】
又、この実施形態では、取付具本体４０２における固定部４２３の器具本体当接部４２４は、上記接線Ｐよりも挟持片４０３の厚さ及び固定部４２３の厚さの分だけ、コア１０３と反対側の外側に突出している。従って、固定部４２３の器具本体当接部４２４を照明器具本体１００のランプ取付面１００ａに当接させると、固定部４２３の器具本体当接部４２４は、上記接線Ｐよりも、挟持片４０３の厚さ及び固定部４２３の厚さの分だけランプ取付面１００ａ側に突出した状態になる。
【００７１】
そして、この状態から、先の第１実施形態と同様に、ボルト等の固定手段によって固定部４２３を照明器具本体１００のランプ取付面１００ａに固定することにより、無電極放電ランプの照明器具本体１００に取付けることができる。その他は、先の第１実施形態と同構成を採っている。
【００７２】
尚、この第４実施形態の挟持片４０３は、真直状のものから構成されているが、この形態のものに限らず、例えば図６に示すように、係止部４２１を、支持片４０３の両端部を前方側に折り曲げ成形することによって、挟持片４０３の係止部４２１における前面を、コア１０３の最短部１０３ａを通る接線Ｐよりもコア１０３側に配置するとともに、取付具本体４０２における固定部４２３の器具本体当接部４２４を、上記接線Ｐよりも、挟持片４０３のほぼ厚さ分だけコア１０３と反対側の外側に突出するように配置しても良い。
【００７３】
こうすることにより、コア１０３のランプ取付面１００ａからの突出量を、挟持片４０３のほぼ厚さ分にして取り付けることができ、突出量を極力抑えたものにできる。
【００７４】
次に、本発明の第５実施形態の無電極放電ランプ用の取付具５００について、図７に基づいて説明する。第５実施形態の無電極放電ランプ用の取付具５００は、２つのコア１０３を１つの取付具本体５０２と１つの挟持片５０３とで挟持するように構成されているとともに、取付具本体５０２と挟持片５０３とは、互いに同一構成を採る一対のものから構成されている。
【００７５】
より詳しくは、第５実施形態における取付具本体５０２は、上部側及び下部側の前部側における内面側に、夫々、コア受容部５２１を備えている。また、取付具本体５０２における上部側及び下部側の後端に、夫々、取付具本体５０２を照明器具本体１００のランプ取付面１００ａに固定する固定部５２３が設けられている。
【００７６】
上部側のコア受容部５２１は、バルブの第１直管部１２１に挿通されたコア１０３を受容する。下部側のコア受容部５２１は、バルブの第２直管部１２２に挿通されたコア１０３を受容するようになっている。
【００７７】
挟持片５０３は、上部側と下部側とに設けられた２つの受容凹部５３４と、これらを支持した支持片５３５と、受容凹部２３４同士を接続した接続片５３７とを備えている。
【００７８】
受容凹部５３４は、夫々、コア第１当接部５３２と、面当接部５３６とを備えている。上部側の受容凹部５３４における面当接部５３６は、コア第１当接部５３２から上方側に所定の長さ範囲に渡ってコア１０３の外周形状と同じ形状の円弧に形成されることにより、上部側のコア受容部５２１に受容されたコア１０３の外周におけるコア第１当接部５３２から取付具本体５０２までの間の上後方部に面接触しうるように構成されている。
【００７９】
下部側の受容凹部５３４における面当接部５３６は、コア第１当接部５３２から下方側に所定の長さ範囲に渡ってコア１０３の外周形状と同じ形状の円弧に形成されることにより、下部側のコア受容部５２１に受容されたコア１０３の外周におけるコア第１当接部５３２から取付具本体５０２までの間の下後方部に面接触しうるように構成されている。
【００８０】
又、この実施形態の支持片５３５は、取付具本体５０２の固定部５２３の後面側に重ね合わされるようになっており、これらが重ね合わされることにより、コア１０３を挟持した状態となる。
【００８１】
そして、取付具本体５０２と挟持片５０３とでコア１０３を挟持した状態で、挟持片５０３の前面（一面）におけるコア第１当接部５３２及び接続片５３６の部分は、コア１０３の最短部１０３ａを通る接線Ｐ上に配置され、その他の部分は、上記接線Ｐよりもコア１０３側の内側に配置されている。
【００８２】
そして、この状態で、挟持片５０３側を、例えば照明器具本体１００のランプ取付面１００ａと挟持片５０３の支持片５３５との間に、ボルト挿通孔を有する筒状体５４０を介在させ、取付具本体５０２の固定部５２３側から筒状体５４０に通したボルトを、照明器具本体１００のランプ取付面１００ａに固定する。これにより、無電極放電ランプを照明器具本体１００に取付けることができる。その他は、先の第１実施形態と同構成を採っている。
【００８３】
次に、照明器具６００について、図８に基づいて説明する。この照明器具６００は、照明器具本体１００と、無電極放電ランプ用の取付具１を有するランプ装置１１０とを備えている。
【００８４】
この実施形態の照明器具本体１００は、無電極放電ランプを収納する収納凹部１２０が設けられている。また、収納凹部１２０の内部の底壁１２１に、ランプ取付面１００ａが設けられている。
【００８５】
ランプ装置１１０は、図１に示す第１実施形態の無電極放電ランプ用の取付具１を有するものが用いられている。
【００８６】
このように構成された照明器具６００は、取付具１によって、照明器具本体１００のランプ取付面１００ａからの無電極放電ランプの突出高さを低くでき、コンパクトなものになっている。
【００８７】
尚、この照明器具６００の取付具１は、第１実施形態のものを用いる形態のものに限らず、第２実施形態〜第５実施形態の何れか１つを適宜選択して用いることもでき、適宜変更できる。
【図面の簡単な説明】
【００８８】
【図１】本発明の第１実施形態の無電極放電ランプ用の取付具を有するランプ装置の概略図である。
【図２】図１のＩＩ−ＩＩ線断面図である。
【図３】本発明の第２実施形態の無電極放電ランプ用の取付具によって無電極放電ランプのコアを挟持した状態の断面説明図である。
【図４】本発明の第３実施形態の無電極放電ランプ用の取付具によって無電極放電ランプのコアを挟持した状態の断面説明図である。
【図５】本発明の第４実施形態の無電極放電ランプ用の取付具によって無電極放電ランプのコアを挟持した状態の断面説明図である。
【図６】第４実施形態の無電極放電ランプ用の取付具における他の実施形態の挟持片によってコアを挟持した状態の断面説明図である。
【図７】本発明の第５実施形態の無電極放電ランプ用の取付具によって無電極放電ランプのコアを挟持した状態の断面説明図である。
【図８】無電極放電ランプ用の取付具によって無電極放電ランプを照明器具本体に取付けた状態の断面説明図である。
【図９】従来例の断面説明図である。
【符号の説明】
【００８９】
１、２００、３００、４００、５００    無電極放電ランプ用の取付具
２    取付具本体
３    挟持片
３２、２３２、３３２、４３２、５３２    コア第１当接部
３３、２３３、３３３    コア第２当接部
３３４    面当接部
１００    照明器具本体
１０２    バルブ
１０３    コア
１０４    誘導コイル
１０５    高周波電源
【図１】
2009032486.tif 000003
【図２】
2009032486.tif 000004
【図３】
2009032486.tif 000005
【図４】
2009032486.tif 000006
【図５】
2009032486.tif 000007
【図６】
2009032486.tif 000008
【図７】
2009032486.tif 000009
【図８】
2009032486.tif 000010
【図９】
2009032486.tif 000011